(57)【要約】      （修正有）【課題】防水防爆及び優れた放熱効果を有する防水防爆型ＬＥＤランプを提供する。【解決手段】壁体に複数の空気対流通路１１３が貫通して設けられた放熱円筒１１０、第１密封カバー１２０、及び第２密封カバー１３０からなる放熱本体ユニット１００と、発光ユニット２００と、反射型レンズ３００と、第１密封カバーに組み合わせられるとともに、反射型レンズ及び発光ユニットに被覆され、第１密封カバー及び反射型レンズとの間にそれぞれオイルシールを有するオイルシールシート４００と、オイルシールシートに組み合わせられ、且つオイルシールシートとの間にオイルシールを有する透明カバー５００と、コネクタユニット６００と、回路基板と、を含み、設置されたオイルシールシート及びその各オイルシールにより、外部の水分及び気体のオイルシールシート及び発光ユニットへの侵入を防止し、放熱本体ユニットに設置された複数の空気対流通路により、放熱本体ユニットが熱伝導及び空気対流の放熱作用を兼ねるようにする。【選択図】図３
0003196910.tif 000002
【実用新案登録請求の範囲】
【請求項１】
互いに対向する第１端部と第２端部を有するとともに、壁体に前記第１端部から前記第２端部まで複数の空気対流通路が貫通して設けられ、内周に収容室を形成する放熱円筒、前記放熱円筒の第１端部に設置された第１密封カバー、及び前記放熱円筒の第２端部に設置された第２密封カバーを含む放熱本体ユニットと、
前記第１密封カバーに設置されて、基板と前記基板に設けられた複数のＬＥＤを有する発光ユニットと、
前記発光ユニットに被覆された反射型レンズと、
前記第１密封カバーに組み合わせられるとともに、前記反射型レンズに被覆され、前記第１密封カバー及び前記反射型レンズとの間にそれぞれ第１オイルシールと第２オイルシールを有するオイルシールシートと、
前記オイルシールシートに組み合わせられ、且つ前記オイルシールシートとの間に第３オイルシールを有する透明カバーと、
前記第２密封カバーに穿設されたコネクタユニットと、
前記放熱円筒の収容室に収容されるとともに、前記コネクタユニットと前記発光ユニットとを電気的に接続する回路基板と、
を備える防水防爆型ＬＥＤランプ。
【請求項２】
前記第２密封カバーと前記第２端部との間に第４オイルシールを有する請求項１に記載の防水防爆型ＬＥＤランプ。
【請求項３】
前記コネクタユニットは、
前記第２密封カバーに穿設された中空ボルトと、
前記第２密封カバーの内端面に位置するとともに、前記中空ボルトと螺合するナットと、
前記中空ボルトの外周に套設され、且つ前記中空ボルトと前記第２密封カバーの外端面との間に介在する防水ガスケットと、
前記中空ボルトの内部に穿設された電源線と、
を含む請求項１に記載の防水防爆型ＬＥＤランプ。
【請求項４】
前記第１密封カバー及び前記透明カバーの各々は、それぞれ内壁に第１雌ねじ部及び第２雌ねじ部を有する第１リング壁及び第２リング壁を具備し、前記オイルシールシートの外壁は、異なる高さ位置に、それぞれ前記第１雌ねじ部及び前記第２雌ねじ部と螺合する第１雄ねじ部及び第２雄ねじ部をそれぞれ具備する請求項１に記載の防水防爆型ＬＥＤランプ。
【請求項５】
前記第１密封カバーの第１リング壁の内周に、前記発光ユニット及び前記反射型レンズが収容された凹溝を形成する請求項４に記載の防水防爆型ＬＥＤランプ。
【考案の詳細な説明】
【技術分野】
【０００１】
本考案は、ＬＥＤランプに関し、特に、防水防爆型ＬＥＤランプに関する。
【背景技術】
【０００２】
ＬＥＤ（Ｌｉｇｈｔ  Ｅｍｉｔｔｉｎｇ  Ｄｉｏｄｅ；発光ダイオード）は、体積が小さく、省電力で、反応時間が速く、色彩が豊かで、環境にやさしいなどの有利な特徴を有し、既に現代の生活における重要な発光素子となっている。特に、一般的にランプ照明として使用され、ＬＥＤランプを形成する。
【０００３】
ＬＥＤが照明として使用され、電力を光エネルギーに変換する際に、熱及び高温を発生することがある。ガスが漏洩してＬＥＤランプの内部に侵入すると、ＬＥＤの高温により、ガスが発火して爆発が発生しやすい。また、外部の水蒸気がＬＥＤランプの内部に侵入すると、ＬＥＤランプの故障も引き起こしやすい。なお、ＬＥＤが使用され昇温する場合には、１℃昇温するごとに、該ＬＥＤの輝度が０．９％低下するので、効果的に放熱させなければならない。
【０００４】
従来のＬＥＤランプは、一般的に、例えば基板、ＬＥＤ発光素子、反射型レンズ、及び放熱ケース等の必要な素子を単純に組み立てて形成されるが、内部に優れた防水防ガスの設計がないので、外部の水分及び気体がＬＥＤランプの内部に侵入し、不利な影響が発生しやすい。また、従来のＬＥＤランプの放熱構造では、一般的に、ランプソケットに放熱するための複数の放熱フィンが設けられる。しかし、放熱フィンが放熱手段とされる場合には、体積が大きく、更に単に熱伝導による放熱効果を有するだけで、空気の自然対流による放熱効果を有しない。また、放熱フィンは密集しすぎているので、一部の熱が更に各放熱フィンの間に蓄積され、放熱効果が良くない。
【考案の概要】
【考案が解決しようとする課題】
【０００５】
本考案は、従来のＬＥＤランプの防水防ガス設計の欠如及び放熱不良という問題を改良して、防水防爆及び優れた放熱効果を有する防水防爆型ＬＥＤランプを提供する。
【課題を解決するための手段】
【０００６】
本考案の一態様によれば、互いに対向する第１端部と第２端部を有し、壁体に第１端部から第２端部まで複数の空気対流通路が貫通して設けられ、内周に収容室を形成する放熱円筒、放熱円筒の第１端部及び第２端部にそれぞれ設置された第１密封カバー、及び第２密封カバーを含む放熱本体ユニットと、第１密封カバーに設置されるとともに、基板と前記基板に設けられた複数のＬＥＤを含む発光ユニットと、発光ユニットに被覆された反射型レンズと、第１密封カバーに組み合わせられ、反射型レンズに被覆されて、且つ第１密封カバー及び反射型レンズとの間にそれぞれ第１オイルシールと第２オイルシールを有するオイルシールシートと、オイルシールシートに組み合わせられ、且つオイルシールシートとの間に第３オイルシールを有する透明カバーと、第２密封カバーに穿設されたコネクタユニットと、放熱円筒の収容室に収容されるとともに、コネクタユニットと発光ユニットとを電気的に接続する回路基板と、を備える防水防爆型ＬＥＤランプを提供する。
【０００７】
本考案の一実施例によれば、第２密封カバーと第２端部との間に第４オイルシールを有する。
【０００８】
本考案の一実施例によれば、コネクタユニットは、第２密封カバーに穿設された中空ボルトと、第２密封カバーの内端面に位置するとともに、中空ボルトと螺合するナットと、中空ボルトの外周に套設され、且つ中空ボルトと第２密封カバーの外端面との間に介在する防水ガスケットと、中空ボルトの内部に穿設された電源線と、を含む。
【０００９】
本考案の一実施例によれば、第１密封カバー及び透明カバーの各々は、それぞれ内壁に第１雌ねじ部及び第２雌ねじ部を有する第１リング壁及び第２リング壁を具備し、オイルシールシートの外壁は、異なる高さの位置に、それぞれ第１雌ねじ部及び第２雌ねじ部と螺合する第１雄ねじ部及び第２雄ねじ部をそれぞれ具備する。
【００１０】
本考案の一実施例によれば、第１密封カバーの第１リング壁の内周に、発光ユニット及び反射型レンズが収容された凹溝を形成する。
【考案の効果】
【００１１】
本考案のＬＥＤランプによれば、設置されたオイルシールシートとその第１オイルシール、第２オイルシール及び第３オイルシールにより、外部の水分及び気体のオイルシールシート及び発光ユニットへの侵入を防止することができ、防水及び防爆の作用を有する。そして、熱本体ユニットに設置された２つの対向する端部を貫通する複数の空気対流通路により、放熱本体ユニットが熱伝導及び空気対流による放熱作用を兼ねるように構成される。
【図面の簡単な説明】
【００１２】
【図１】本考案の一実施形態による防水防爆型ＬＥＤランプの外観斜視図である。
【図２】図１に示す防水防爆型ＬＥＤランプの分解図である。
【図３】図１に示す防水防爆型ＬＥＤランプの断面図である。
【図４】図４に示す防水防爆型ＬＥＤランプの要部の拡大図である。
【００１３】
本考案の前記及びその他の技術的内容、特徴及び効果については、以下に図面に併せた実施例の詳細な説明において、明確に呈現することができる。
【００１４】
図１〜図４を参照されたい。本考案の一実施形態による防水防爆型ＬＥＤランプは、放熱本体ユニット１００と、発光ユニット２００と、反射型レンズ３００と、オイルシールシート４００と、透明カバー５００と、コネクタユニット６００と、回路基板７００を含む。
【００１５】
放熱本体ユニット１００は、放熱円筒１１０と、第１密封カバー１２０と、第２密封カバー１３０を含む。
【００１６】
放熱円筒１１０は、優れた熱伝導性を有する材料（例えばアルミ、銅又はそれらの合金）から形成される。放熱円筒１１０は、互いに対向する第１端部１１１と第２端部１１２を有する。放熱円筒１１０の壁体に、第１端部１１１から第２端部１１２まで複数の空気対流通路１１３が貫通して設けられる。放熱円筒１１０の内周に収容室１１４が形成される。
【００１７】
第１密封カバー１２０及び第２密封カバー１３０も優れた熱伝導性を有する材料から形成されるとともに、それぞれ放熱円筒１１０の第１端部１１１及び第２端部１１２に設置される。第１密封カバー１２０は、内壁に第１雌ねじ部１２２を有し、内周に凹溝１２３を形成する第１リング壁１２１を有する。
【００１８】
発光ユニット２００は、基板２１０と、該基板に設けられた複数のＬＥＤ２２０とを有する。反射型レンズ３００は、ＬＥＤからの光線を反射するように、発光ユニット２００に被覆される。発光ユニット２００及び反射型レンズ３００は、第１密封カバー１２０の凹溝１２３に収容される。ＬＥＤ２２０が使用される際に発生した熱は、第１密封カバー１２０及び放熱円筒１１０の熱伝導により放熱される以外に、同時に、空気対流通路１１３の空気の上下自然対流を利用して、該熱を排出して放熱し、放熱の速度及び効果を増加させる。
【００１９】
オイルシールシート４００の外壁は、異なる高さの位置に、それぞれ第１雄ねじ部４５０及び第２雄ねじ部４６０を有する。オイルシールシート４００は、その第１雄ねじ部４５０により第１密封カバー１２０の第１雌ねじ部１２２と螺合して固定され、且つ反射型レンズ３００に被覆されるとともに、第１密封カバー１２０及び反射型レンズ３００との間にそれぞれ第１オイルシール４１０と第２オイルシール４２０を有し、これにより、外部の水分及び気体の発光ユニット２００への侵入を防止する。
【００２０】
透明カバー５００は、ＬＥＤランプの外端面を覆うためのものであり、ＬＥＤからの光線を通過させることができる。透明カバー５００は、内壁に第２雌ねじ部５２０を有する第２リング壁５１０を具備する。透明カバー５００は、その第２雌ねじ部５２０によりオイルシールシート４００の第２雄ねじ部４６０と螺合して固定され、且つオイルシールシート４００との間に外部の水分及び気体のオイルシールシート４００への侵入を防止するための第３オイルシール４３０を有する。
【００２１】
第２密封カバー１３０と放熱円筒１１０の第２端部１１２との間に、外部の水分及び気体の放熱円筒１１０の内部への侵入を防止するための第４オイルシール４４０を有する。
【００２２】
電源線を放熱円筒１１０の内部に導入するように、コネクタユニット６００は、放熱円筒１１０の第２密封カバー１３０に設けられる。コネクタユニット６００は、中空ボルト６１０と、ナット６２０と、防水ガスケット６３０と、電源線６４０を含む。中空ボルト６１０は、第２密封カバー１３０に穿設される。ナット６２０は、第２密封カバー１３０の内端面に位置するとともに、中空ボルト６１０と螺合する。防水ガスケット６３０は、中空ボルト６１０の外周に套設され、且つ該中空ボルト６１０と第２密封カバー１３０の外端面との間に介在する。電源線６４０は、中空ボルト６１０の内部に穿設される。
【００２３】
回路基板７００は、駆動回路及び必要な電子素子を有する。回路基板７００は、放熱円筒１１０の収容室１１４に収容されるとともに、コネクタユニット６００と発光ユニット２００とを電気的に接続することにより、発光ユニット２００を駆動して点灯させる。
【００２４】
本考案の一実施形態の防水防爆型ＬＥＤランプによれば、設置されたオイルシールシート４００及びその第１オイルシール４１０、第２オイルシール４２０及び第３オイルシール４３０により、外部の水分及び気体のオイルシールシート４００及び発光ユニット２００への侵入を防止することができ、そして、放熱本体ユニット１００に設置された２つの対向する端部を貫通する複数の空気対流通路１１３により、放熱本体ユニット１００が熱伝導及び空気対流の放熱作用の両方を達成することができる。
【００２５】
本考案を実施形態により前述の通り開示したが、これは本考案を限定するためのものではなく、当業者であれば、本考案の精神と範囲から逸脱しない限り、各種の変更や修正を加えることができる。従って、本考案の保護範囲は、実用新案登録請求の範囲で指定した内容を基準とするものである。
【符号の説明】
【００２６】
１００  放熱本体ユニット
１１０  放熱円筒
１１１  第１端部
１１２  第２端部
１１３  空気対流通路
１１４  収容室
１２０  第１密封カバー
１２１  第１リング壁
１２２  第１雌ねじ部
１２３  凹溝
１３０  第２密封カバー
２００  発光ユニット
２１０  基板
２２０  ＬＥＤ
３００  反射型レンズ
４００  オイルシールシート
４１０  第１オイルシール
４２０  第２オイルシール
４３０  第３オイルシール
４４０  第４オイルシール
４５０  第１雄ねじ部
４６０  第２雄ねじ部
５００  透明カバー
５１０  第２リング壁
５２０  第２雌ねじ部 
６００  コネクタユニット
６１０  中空ボルト
６２０  ナット
６３０  防水ガスケット
６４０  電源線
７００  回路基板
【図１】
0003196910.tif 000003
【図２】
0003196910.tif 000004
【図３】
0003196910.tif 000005
【図４】
0003196910.tif 000006